(57)【要約】【課題】建物の美観を保ちつつ、格納部材を安定して壁面に取り付けられるようにする。【解決手段】格納装置１は、建物内の壁面Ｗに埋め込まれ且つ第１ネジ穴３ａを有するインサート部材３と、インサート部材３の第１ネジ穴３ａに螺合締結されるフック部材４とを備えた取付具Ｈにより、壁面Ｗに取り付けられ、自転車２を壁面Ｗに対して支持して格納する。格納装置１は、固定ネジ部材８が挿通されてインサート部材３の第１ネジ穴３ａに螺合されることで、壁面Ｗに取付固定され、フック部材４が螺合可能な第２ネジ穴６ｂ，６ｂが設けられたベース部材６と、固定ネジ部材８が挿通されてインサート部材３の第１ネジ穴３ａに螺合されるとともにフック部材４が挿通されてベース部材６の第２ネジ穴６ｂに螺合締結されることで、ベース部材６に取付固定される固定部９と、固定部９に連結された自転車２を格納する格納部１０と、を有する格納部材７と、を備える。【選択図】図２
2020018743.tif 000002
【特許請求の範囲】
【請求項１】
建物内の壁面に埋め込まれ且つ第１ネジ穴を有するインサート部材と、該インサート部材の第１ネジ穴に螺合締結される雄ネジ部材とを備えた取付具により、前記壁面に取り付けられ、物品を前記壁面に対して支持して格納する格納装置であって、
固定ネジ部材が挿通されて前記インサート部材の前記第１ネジ穴に螺合されることで、前記壁面に取付固定され、前記雄ネジ部材が螺合可能な第２ネジ穴が設けられたベース部材と、
前記ベース部材に挿通されて前記インサート部材の前記第１ネジ穴に螺合される前記固定ネジ部材が挿通されるとともに、前記雄ネジ部材が挿通されて前記ベース部材の前記第２ネジ穴に螺合締結されることで、前記ベース部材に取付固定される固定部と、該固定部に連結され、前記物品を格納する格納部と、を有する格納部材と、
を備えた
ことを特徴とする格納装置。
【請求項２】
請求項１に記載した格納装置において、
前記ベース部材は、前記固定ネジ部材が挿通可能な貫通孔が設けられた板状体からなり、
前記格納部材の前記固定部に中心孔が設けられ、
前記固定ネジ部材は、前記ベース部材の貫通孔及び前記固定部の中心孔に挿通されて前記インサート部材の第１ネジ穴に螺合締結されている
ことを特徴とする格納装置。
【請求項３】
請求項１又は２に記載した格納装置において、
前記ベース部材における前記第２ネジ穴の数は複数であり、
前記格納部材の前記固定部に複数の孔部が設けられ、
前記雄ネジ部材は、前記固定部の１つの孔部に挿通されて前記格納部材の１つの第２ネジ穴に螺合締結されている一方、
補助固定ネジが、前記固定部の残りの孔部に挿通されて前記格納部材の残りの第２ネジ穴に螺合締結されており、
前記格納部材は、前記固定部に、前記雄ネジ部材及び補助固定ネジが複数の前記第２ネジ穴に螺合締結されることで、前記ベース部材に取付固定されている
ことを特徴とする格納装置。
【請求項４】
請求項３に記載した格納装置において、
前記ベース部材の前記第２ネジ穴は２つであり、該２つの第２ネジ穴が前記ベース部材の前記貫通孔を間に挟んで前記貫通孔と直線上に並んだ位置に配置されている
ことを特徴とする格納装置。
【請求項５】
請求項３に記載した格納装置において、
前記ベース部材の前記第２ネジ穴は３つ以上であり、前記３つ以上の第２ネジ穴が前記ベース部材の前記貫通孔を取り囲むような位置に配置されている
ことを特徴とする格納装置。
【請求項６】
請求項１〜５のいずれか１項に記載した格納装置において、
前記雄ネジ部材は、先端部に前記インサート部材の前記第１ネジ穴と螺合可能な雄ネジ部が設けられている一方、基端側にフック部が設けられ、該雄ネジ部と前記第１ネジ穴との螺合によって前記インサート部材に一体的に取付可能なフック部材である
ことを特徴とする格納装置。
【請求項７】
請求項２〜６のいずれか１項に記載した格納装置において、
前記ベース部材は、中心に前記貫通孔が設けられている円板状である
ことを特徴とする格納装置。
【請求項８】
請求項１〜７のいずれか１項に記載した格納装置において、
前記ベース部材の厚さは２０ｍｍ以上であることを特徴とする格納装置。
【請求項９】
請求項１〜８のいずれか１項に記載した格納装置において、
前記格納部は、互いに離れた位置で前記物品を載置する複数の載置部を有することを特徴とする格納装置。
【請求項１０】
請求項１〜９のいずれか１項に記載した格納装置において、
前記物品の重量は２０ｋｇ以下である
ことを特徴とする格納装置。
【請求項１１】
請求項１〜１０のいずれか１項に記載した格納装置において、
前記物品は、格納部に格納される棒状部分又は板状部分の少なくとも一方を含むものである
ことを特徴とする格納装置。
【請求項１２】
請求項１〜１１のいずれか１項に記載した格納装置が、前記壁面に取り付けられたことを特徴とする格納装置の取付構造。
【発明の詳細な説明】
【技術分野】
【０００１】
本発明は、建物の壁面に、物品を載置して格納するための格納装置と、それを壁面に取り付けた取付構造に関する。
【背景技術】
【０００２】
従来より、建物の壁面に物品を収納又は格納して壁面を利用する技術として、特許文献１に示されているものが知られている。特許文献１の壁掛けタイプのマガジンラックでは、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにしている。
【０００３】
特許文献１のマガジンラックは、設置するためにネジ等で壁面に穴をあけることとなる。そのため、上記のマガジンラックが一旦取り付けられると、それらを取り外した後にも壁に穴があいたままとなり、取り外した後に建物の美観が損なわれてしまう。それを避けるには、壁面にあいた穴を元通りに埋める修復工事が必要となる。
【０００４】
そこで、本発明の出願人は、特許文献２において、建物の美観を保ちつつ、その建物の一部である壁などに、物品を吊り下げたり引っ掛けて保持できるようにするために、建物の施工時に壁などに挿入しておくことができるインサート部材と、物品を吊り下げるためのフック部材とを分離できるハンガーフックを提案している。
【先行技術文献】
【特許文献】
【０００５】
【特許文献１】特開平１１−１５５６５８号公報
【特許文献２】特願２０１７−２５４５０８号明細書及び図面
【発明の概要】
【発明が解決しようとする課題】
【０００６】
ところで、比較的大きい物品を壁面に格納する格納部材では、壁面への取付部分にかかる荷重のバランスを保つために複数箇所を固定するのが好ましい。
【０００７】
しかし、特許文献２の発明のように、物品の格納部材を壁面に取付固定するためのインサート部材が予め壁面に挿入されている場合、建物の美観を保つことができる反面、インサート部材が予め挿入された位置でしか物品の格納部材を取付固定することができない。このため、比較的大きい物品を複数箇所で固定する格納部材については、インサート部材が挿入された位置のみで１箇所しか固定できず、安定性を確保するのに難があり、改良の余地がある。
【０００８】
本発明は、斯かる点に鑑みてなされたものであり、その目的は、格納装置に改良を加え、建物の美観を保ちつつ、物品を格納する格納部材を安定して壁面に取り付けられるようにすることである。
【課題を解決するための手段】
【０００９】
上記の目的を達成するために、この発明では、物品を格納するための格納部材をベース部材に固定し、このベース部材を壁面に取付固定するようにした。
【００１０】
具体的に、第１の発明は、建物内の壁面に埋め込まれ且つ第１ネジ穴を有するインサート部材と、該インサート部材の第１ネジ穴に螺合締結される雄ネジ部材とを備えた取付具により、前記壁面に取り付けられ、物品を前記壁面に対して支持して格納する格納装置であって、固定ネジ部材が挿通されて前記インサート部材の前記第１ネジ穴に螺合されることで、前記壁面に取付固定され、前記雄ネジ部材が螺合可能な第２ネジ穴が設けられたベース部材と、前記ベース部材に挿通されて前記インサート部材の前記第１ネジ穴に螺合される前記固定ネジ部材が挿通されるとともに、前記雄ネジ部材が挿通されて前記ベース部材の前記第２ネジ穴に螺合締結されることで、前記ベース部材に取付固定される固定部、及び該固定部に連結された前記物品を格納する格納部、を有する格納部材と、を備えたことを特徴とする。
【００１１】
この第１の発明では、物品を格納する格納部材は、ベース部材に挿通されてインサート部材の第１ネジ穴に螺合される固定ネジ部材と、ベース部材の第２ネジ穴に螺合締結される雄ネジ部材とが挿通されるので、この格納部材をベース部材に対して固定ネジ部材及び雄ネジ部材の複数の位置で固定することができる。また、ベース部材は固定ネジ部材に挿通されて壁面に取付固定される。従って、格納部材を安定させて壁面に取付固定することができる。
【００１２】
また、ベース部材は、壁面に埋め込まれたインサート部材に固定ネジ部材によって固定されているので、格納部材を壁面に取り付けるために、壁面に別途穴をあける必要がなく、建物の美観を保つことができる。
【００１３】
さらに、格納部材は、取付具の雄ネジ部材を用いてベース部材に取付固定される。このため、雄ネジ部材は、格納装置を壁面に取付固定しないときには、インサート部材の第１ネジ穴に螺合締結させて壁面に取付固定しておくことができるので、紛失する虞がない。
【００１４】
第２の発明は、第１の発明において、前記ベース部材は、前記固定ネジ部材が挿通可能な貫通孔が設けられた板状体からなり、前記格納部材の前記固定部に中心孔が設けられ、前記固定ネジ部材は、前記ベース部材の貫通孔及び前記固定部の中心孔に挿通されて前記インサート部材の第１ネジ穴に螺合締結されていることを特徴とする。
【００１５】
この第２の発明では、固定ネジ部材がベース部材の貫通孔と格納部材の固定部の中心孔とに挿通されてインサート部材の第１ネジ穴に螺合締結されるので、ベース部材及び格納部材は一体となって壁面に取付固定される。すなわち、共通した固定ネジ部材を用いるので、少ない部品で効率よくベース部材及び格納部材を壁面に取付固定することができる。
【００１６】
また、ベース部材は板状体であるから、板状体の厚さの分だけ格納部材は壁面から離れて取付固定される。このため、格納部材に格納される物品が壁面に当たって、壁面を傷つける虞が少なくなる。従って、建物の美観を保つことができる。
【００１７】
第３の発明は、第１又は第２の発明において、前記ベース部材における前記第２ネジ穴の数は複数であり、前記格納部材の前記固定部に複数の孔部が設けられ、前記雄ネジ部材は、前記固定部の１つの孔部に挿通されて前記格納部材の１つの第２ネジ穴に螺合締結されている一方、補助固定ネジが、前記固定部の残りの孔部に挿通されて前記格納部材の残りの第２ネジ穴に螺合締結されており、前記格納部材は、前記固定部に、前記雄ネジ部材及び補助固定ネジが複数の前記第２ネジ穴に螺合締結されることで、前記ベース部材に取付固定されていることを特徴とする。
【００１８】
この第３の発明では、格納部材は固定ネジ部材と、雄ネジ部材と、補助固定ネジとによってベース部材に固定されるので、格納部材を安定させて壁面に取付固定することができる。
【００１９】
第４の発明は、第３の発明において、前記ベース部材の前記第２ネジ穴は２つであり、その２つの第２ネジ穴が前記ベース部材の前記貫通孔を間に挟んで前記貫通孔と直線上に並んだ位置に配置されていることを特徴とする。
【００２０】
この第４の発明では、ベース部材の２つの第２ネジ穴は貫通孔を間に挟んで直線上に並んだ位置に配置されているので、格納部材の中心孔及び２つの孔部も、ベース部材の貫通孔及び第２ネジ穴とそれぞれ対応する位置に配置される。このため、格納部材は、雄ネジ部材及び補助固定ネジが、固定ネジ部材を挟んだ両側の位置に挿通され、ベース部材に取付固定されることとなる。従って、物品及び物品を格納した格納部材の重量による荷重は、固定ネジ部材、雄ネジ部材及び補助固定ネジにかかり、このうち、固定ネジ部材が、その荷重の重心に近くなる。この結果、格納部材の重心に近い部分が、固定ネジ部材によって壁面に固定されることとなり、格納部材を安定させて壁面に取付固定することができる。
【００２１】
第５の発明は、第３の発明において、前記ベース部材の前記第２ネジ穴は３つ以上であり、その３つ以上の第２ネジ穴が前記ベース部材の前記貫通孔を取り囲むような位置に配置されていることを特徴とする。
【００２２】
この第５の発明では、ベース部材の３つ以上の第２ネジ穴は貫通孔を取り囲むような位置に配置されているので、格納部材の中心孔及び３つ以上の孔部も、ベース部材の貫通孔及び第２ネジ穴とそれぞれ対応する位置に配置される。このため、格納部材は、雄ネジ部材及び補助固定ネジが、固定ネジ部材を取り囲む位置に挿通され、ベース部材に取付固定されることとなる。従って、物品及び物品を格納した格納部材の重量による荷重は、固定ネジ部材、雄ネジ部材及び補助固定ネジにかかり、このうち、固定ネジ部材が、これらの荷重の重心に近くなる。この結果、第４の発明と同様に、格納部材の重心に近い部分が、固定ネジ部材によって壁面に固定されることとなり、格納部材を安定させて壁面に取付固定することができる。
【００２３】
第６の発明は、第１〜第５のいずれか１つの発明において、前記雄ネジ部材は、先端部に前記インサート部材の前記第１ネジ穴と螺合可能な雄ネジ部が設けられている一方、基端側にフック部が設けられ、該雄ネジ部と前記第１ネジ穴との螺合によって前記インサート部材に一体的に取付可能なフック部材であることを特徴とする。
【００２４】
この第６の発明では、雄ネジ部材は、基端側にフック部が設けられたフック部材である。このため、フック部材は、格納装置を壁面に取付固定しないときには、壁面のインサート部材に螺合締結させておくことで紛失しないだけでなく、壁面に物を吊り下げ又は引っ掛けるための壁面用フックとして利用できる。また、フック部材を壁面に取り付けておくことは、壁面の外観を違和感がないものとし、建物の美観の上でも好ましい。
【００２５】
第７の発明は、第１〜第６のいずれか１つの発明において、前記ベース部材は、中心に前記貫通孔が設けられている円板状であることを特徴とする。
【００２６】
この第７の発明では、貫通孔は、円板状のベース部材の中心に形成されていることから、ベース部材は、貫通孔を中心に回転させても見た目の形状は変わらない。このため、固定ネジ部材が貫通孔に挿通されてベース部材が壁面に取付固定された状態で、ベース部材が固定ネジ部材を中心に回転したとしても、壁面の外観の違和感が少ない。すなわち、建物の美観を保つことができる。
【００２７】
第８の発明は、第１〜第７のいずれか１つの発明において、ベース部材の厚さは２０ｍｍ以上であることを特徴とする。
【００２８】
この第８の発明では、円板の厚さである２０ｍｍ以上の距離、格納部材は壁面から離れて取付固定される。このため、物品が壁面に当たって、壁面を傷つける虞が少なくなる。従って、建物の美観を保つことができる。
【００２９】
第９の発明は、第１〜第８のいずれか１つの発明において、前記格納部は、互いに離れた位置で前記物品を載置する複数の載置部を有することを特徴とする。
【００３０】
この第９の発明では、格納部は物品を載置する載置部を有するので、物品を載置部に載置するという簡単な操作で格納することができる。また、載置部は複数であり、互いに離れた位置に位置していることから、比較的大きい物品であっても格納しやすい。
【００３１】
第１０の発明は、第１〜第９のいずれか１つの発明において、物品の重量は２０ｋｇ以下であることを特徴とする。
【００３２】
この第１０の発明では、最大２０ｋｇの重い物品も壁面に格納することができる。
【００３３】
第１１の発明は、第１〜第１０のいずれか１つの発明において、前記物品は、格納部に格納される棒状部分又は板状部分の少なくとも一方を含むものであることを特徴とする。
【００３４】
この第１１の発明では、棒状部分又は板状部分の少なくとも一方を含む、比較的大きくて重い物品を格納できる。
【００３５】
第１２の発明は、第１〜第１１のいずれか１つの発明の格納装置が、前記壁面に取り付けられたことを特徴とする。
【００３６】
この第１２の発明では、第１〜第１１のいずれかの発明の作用効果を奏する格納装置を壁面に取付固定することができる。
【発明の効果】
【００３７】
本発明によると、格納部材をベース部材に対して固定ネジ部材及び雄ネジ部材の複数の位置で固定することができる。従って、格納部材を安定させて壁面に取付固定することができる。また、ベース部材は、壁面に埋め込まれたインサート部材に固定ネジ部材によって固定されているので、格納部材を壁面に取り付けるために、壁面に別途穴をあける必要がなく、建物の美観を保つことができる。
【図面の簡単な説明】
【００３８】
【図１】図１は、本発明の実施形態１に係る格納装置に物品として自転車を載置して格納した状態を示す斜視図である。
【図２】図２は、実施形態１に係る格納装置の取付構造の垂直断面図である。
【図３】図３は、実施形態１に係る格納装置の分解図である。
【図４】図４は、実施形態１に係る格納装置のベース部材を示す正面図である。
【図５】図５は、実施形態２に係る格納装置に物品としてサーフボードを載置して格納した状態を示す図１相当図である。
【図６】図６は、実施形態２に係る格納装置を示す図２相当図である。
【図７】図７は、実施形態２に係る格納装置のベース部材を示す図４相当図である。
【発明を実施するための形態】
【００３９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４０】
（実施形態１）
図１〜図３は、本発明の実施形態１に係る格納装置１の取付構造を示す。この取付構造では、フレーム（棒状部分）を含む自転車２（物品）を建物内の壁面Ｗに対して載置支持して、壁面Ｗから所定の距離離して格納する格納装置１が取付具Ｈによって壁面Ｗに取り付けられている。
【００４１】
−取付具−
取付具Ｈは、建物内の壁面Ｗに埋め込まれているインサート部材３と、通常状態でこのインサート部材３に螺合締結されるフック部材（雄ネジ部材）４とを備えており、両部材３，４は共に鋼製である。インサート部材３は、壁面Ｗに穿設された取付穴５に螺合して取付固定されている。インサート部材３は、その基端面を壁面Ｗに露出させており、この基端面には第１ネジ穴３ａが設けられている。
【００４２】
フック部材４は、先端側がインサート部材３の第１ネジ穴３ａに螺合締結される雄ネジ部４ａとなっている。また、フック部材４は、基端側がフック部４ｂとなっている。このため、フック部材４を壁面Ｗに取付固定されたインサート部材３の第１ネジ穴３ａに螺合締結させることにより、フック部４ｂに物を引っ掛けたり、吊したりして、使用することができるようになっている。
【００４３】
取付穴５は、壁面Ｗにおいて、内部に柱などの頑丈な部材が配置されている位置に穿設されており、インサート部材３は、その柱などの頑丈な部材にまで到達するように挿入される。インサート部材３は、例えば、４５５ｍｍ間隔で配置された複数の柱にそれぞれ到達するように取付固定されている。このようにして、インサート部材３は、頑丈な柱などによって強固に支持された状態で壁面Ｗに取付固定される。
【００４４】
−格納装置−
格納装置１を壁面Ｗに取り付ける場合には、フック部材４は、インサート部材３から取り外して、格納装置１を壁面Ｗに取り付けるために用いる。
【００４５】
図２及び図３に示すように、格納装置１は、壁面Ｗに取付固定される木製で円板状のベース部材６と、このベース部材６に取付固定される金属製の格納部材７と、を備えている。図４はベース部材６を示す。ベース部材６の厚さは２０ｍｍ以上であり、例えば３０ｍｍである。
【００４６】
ベース部材６には、円板の中心にベース部材６の表裏面を貫通する貫通孔６ａが設けられている。図２及び図３において、８はインサート部材３の第１ネジ穴３ａに螺合締結可能な固定ネジ部材であり、この固定ネジ部材８のネジ長さはフック部材４の雄ネジ部４ａよりも長く、ベース部材６に後述の固定部９を加えた厚さよりも長くなっている。ベース部材６は、この固定ネジ部材８を貫通孔６ａに挿通させ、固定ネジ部材８がインサート部材３の第１ネジ穴３ａに螺合されることで、壁面Ｗに取付固定されている。
【００４７】
また、図３に示すように、ベース部材６の表面には、貫通孔６ａの上下の位置に第２ネジ穴６ｂ，６ｂが設けられている。具体的には、ベース部材６が木製であるので、その表面において貫通孔６ａの上下位置に穴を開けて鬼目ナットＮ，Ｎを打ち込むことで、その鬼目ナットＮ内の穴部により第２ネジ穴６ｂを構成している。なお、下側の第２ネジ穴６ｂから貫通孔６ａまでの距離は、上側の第２ネジ穴６ｂから貫通孔６ａまでの距離よりも長い。この第２ネジ穴６ｂ，６ｂは貫通孔６ａを間に挟んで貫通孔６ａと直線上に並んだ位置に配置されている。この第２ネジ穴６ｂ，６ｂは、後述するように、いずれか一方に取付具Ｈのフック部材４の雄ネジ部４ａを螺合させることができるようになっている。
【００４８】
格納部材７は、ベース部材６に取付固定される板状の固定部９と、この固定部９に溶接されて一体的に連結された、自転車２を載置するための格納部１０と、を有する。固定部９には、ベース部材６の貫通孔６ａと対応する位置に中心孔９ａが、またベース部材６の第２ネジ穴６ｂ，６ｂと対応する位置に孔部９ｂ，９ｂがそれぞれ貫通して設けられている。なお、中心孔９ａの位置は、固定部９の略中央である。
【００４９】
格納部１０は、固定部９に溶接された接続部１０ａ，１０ａと、この接続部１０ａ，１０ａから二股状に左右に分かれて略水平方向に延びたアーム１０ｂ，１０ｂと、これらアーム１０ｂ，１０ｂの先端に設けられ、互いに離れた位置で自転車２を載置する載置部１０ｃ，１０ｃとを有している。載置部１０ｃ，１０ｃは、自転車２のフレームなどの棒状部分を載置するように鈎状に形成されている。アーム１０ｂ，１０ｂは、先端側が互いに離れる方向に延びており、載置部１０ｃ，１０ｃは互いに離れた位置に位置する。
【００５０】
そして、図３に示すように、格納部材７の固定部９の中心孔９ａに固定ネジ部材８が挿通されて、その固定ネジ部材８はインサート部材３の第１ネジ穴３ａに螺合されている。また、取付具Ｈのフック部材４が下側の孔部９ｂに挿通されて、ベース部材６の第２ネジ穴６ｂに螺合締結されている。このことにより、格納部材７が壁面Ｗに取付固定されている。前述のように、この固定ネジ部材８は、ベース部材６の貫通孔６ａにも挿通されていることから、格納部材７は、固定ネジ部材８によってベース部材６と一体となって壁面Ｗに取付固定されている。
【００５１】
さらに、格納部材７の固定部９の上側の孔部９ｂに、補助固定ネジ１１が挿通され、この補助固定ネジ１１がベース部材６の上側の第２ネジ穴６ｂに螺合締結されており、このことで、格納部材７がベース部材６に固定されている。以上のように、格納部材７は、固定ネジ部材８、フック部材４、及び補助固定ネジ１１の３つの部材によって３箇所でベース部材６に固定されている。
【００５２】
尚、格納装置１によって壁面Ｗに載置支持される自転車２（物品）の重量は２０ｋｇ以下が望ましい。
【００５３】
以上のように、この実施形態においては、自転車２を格納する格納部材７は、ベース部材６に挿通されてインサート部材３の第１ネジ穴３ａに螺合される固定ネジ部材８と、ベース部材６の第２ネジ穴６ｂに螺合締結されるフック部材４とが挿通される。従って、この格納部材７をベース部材６に対して固定ネジ部材８及びフック部材４の複数の位置で固定することができる。また、ベース部材６は固定ネジ部材８に挿通されて壁面Ｗに取付固定される。この結果、格納部材７を安定させて壁面Ｗに取付固定することができる。
【００５４】
また、ベース部材６は、壁面Ｗに埋め込まれたインサート部材３に固定ネジ部材８によって固定されているので、格納部材７を壁面Ｗに取り付けるために、壁面Ｗに別途穴をあける必要がなく、建物の美観を保つことができる。
【００５５】
また、固定ネジ部材８がベース部材６の貫通孔６ａと格納部材７の固定部９の中心孔９ａとに挿通されてインサート部材３の第１ネジ穴３ａに螺合締結されるので、ベース部材６及び格納部材７は一体となって壁面Ｗに取付固定される。すなわち、共通した固定ネジ部材８を用いるので、少ない部品で効率よくベース部材６及び格納部材７を壁面Ｗに取付固定することができる。
【００５６】
また、ベース部材６の形状は円板であるから、円板の厚さの分だけ格納部材７は壁面Ｗから離れて取付固定される。このため、自転車２が壁面Ｗに当たって、壁面Ｗを傷つける虞が少なくなる。従って、建物の美観を保つことができる。
【００５７】
また、格納部材７は、取付具Ｈのフック部材４を用いてベース部材６に取付固定される。フック部材４は、格納装置１を壁面Ｗに取付固定しない通常状態のときには、インサート部材３の第１ネジ穴３ａに螺合締結させて壁面Ｗに取付固定しておくことができるので、紛失する虞がない。
【００５８】
また、格納部材７は固定ネジ部材８と、フック部材４と、補助固定ネジ１１とによってベース部材６に固定されるので、格納部材７を安定させて壁面Ｗに取付固定することができる。
【００５９】
また、ベース部材６の２つの第２ネジ穴６ｂ，６ｂは貫通孔６ａを間に挟んで直線上に並んだ位置に配置されている。そして、格納部材７の固定部９の中心孔９ａ及び孔部９ｂ，９ｂは、ベース部材６の貫通孔６ａ及び第２ネジ穴６ｂ，６ｂとそれぞれ対応する位置に配置されている。このため、格納部材７は、フック部材４及び補助固定ネジ１１が、固定ネジ部材８を挟んだ両側の位置に挿通され、ベース部材６に取付固定されることとなる。従って、自転車２及び格納部材７の重量による荷重は、固定ネジ部材８、フック部材４及び補助固定ネジ１１にかかり、このうち、固定ネジ部材８が、これらの荷重の重心に近くなる。その結果、格納部材７の重心に近い部分が、固定ネジ部材８によって壁面Ｗに固定されることとなり、格納部材７を安定させて壁面Ｗに取付固定することができる。
【００６０】
また、インサート部材３の第１ネジ穴３ａに螺合され、格納部材７をベース部材６に取付固定するためにも用いられる取付具Ｈの雄ネジ部材４として、基端側にフック部４ｂが設けられたフック部材４を用いる。このため、フック部材４は、格納装置１を壁面Ｗに取付固定しないときには、壁面Ｗのインサート部材３に螺合締結させておくことで紛失しないだけでなく、壁面Ｗに物を吊り下げ又は引っ掛けるための壁面用フックとして利用できる。また、フック部材４を壁面Ｗに取り付けておくことは、壁面Ｗの外観を違和感がないものとし、建物の美観の上でも好ましい。
【００６１】
また、ベース部材６の貫通孔６ａは、円板状のベース部材６の中心に形成されていることから、ベース部材６は、貫通孔６ａを中心に回転させても見た目の形状は変わらない。このため、固定ネジ部材８が貫通孔６ａに挿通されてベース部材６が壁面Ｗに取付固定された状態で、ベース部材Ｗが固定ネジ部材８を中心に回転したとしても、壁面Ｗの外観の違和感が少ない。すなわち、建物の美観を保つことができる。
【００６２】
また、ベース部材６の厚さは２０ｍｍ以上であることから、格納部材７は壁面Ｗから離れて取付固定される。このため、自転車２が壁面Ｗに当たって、壁面Ｗを傷つける虞が少なくなる。従って、建物の美観を保つことができる。
【００６３】
また、格納部材７の格納部１０は自転車２を載置する２つの載置部１０ｃ，１０ｃを有し、この載置部１０ｃ，１０ｃは、自転車２のフレームなどの棒状部分を支持できるように鈎状に形成されていることから、自転車２を載置部１０ｃ，１０ｃに簡単に載置することができる。
【００６４】
また、２つの載置部１０ｃ，１０ｃは互いに離れた位置に位置していることから、自転車２のような比較的大きい物品であっても載置しやすい。また、最大２０ｋｇの重い自転車も格納できる。
【００６５】
また、この実施形態に係る格納装置１の取付構造によって、上記の作用効果を奏する格納装置１を壁面Ｗに取付固定することができる。
【００６６】
（実施形態２）
図５及び図６は、実施形態２に係る格納装置１の取付構造を示す。この取付構造では、棒状部分を含む物品に加え、サーフボード１４などの長い板状の物品をも建物内の壁面Ｗに対して支持して、壁面Ｗに近づけて格納する格納装置１が、取付具Ｈによって壁面Ｗに取り付けられている。このため、格納部材７及び格納部材７をベース部材６に取付固定する構造が、実施形態１とは異なっている。以下、実施形態１と共通する構成については説明を省略する。
【００６７】
図７に示すように、ベース部材６に設けられた第２ネジ穴６ｂ，６ｂの位置は、貫通孔６ａの上下に貫通孔６ａから等間隔の位置とされている。
【００６８】
格納部材７は、ベース部材６に取付固定される板状の固定部９と、この固定部９に連結される格納部１６とを備えている。固定部９には、固定部９に対して垂直に配置された２枚の板状のブラケット１５，１５が連結されている。このブラケット１５，１５には水平に延びる軸部１７を介して格納部１６が揺動可能に支持されている。格納部１６は、この軸部１７の中央から略下方にむかって延びる細長い板状の連結部１６ａを有し、この連結部１６ａの下端部に２つの載置部１６ｃ，１６ｃが、上端部にてピン１６ｂによって下部を左右方向に接離するように揺動可能に連結されている。載置部１６ｃ，１６ｃは、サーフボード１４などの板状の物品を載置できるように上下に長い鈎状に形成されている。なお、格納部材７は金属製であるが、載置部１６ｃ，１６ｃは、載置されるサーフボード１４を傷つけないように軟らかいゴムなどで覆われている。
【００６９】
以上のように、この実施形態では、格納部１６の載置部１６ｃ，１６ｃは上下に長い鈎状に形成されているので、棒状部分を含む物品に加え、サーフボード１４などの板状の物品をも載置することができる。
【００７０】
（その他の実施形態）
上記各実施形態において、ベース部材６には第２ネジ穴が２つ配置されているとしたが、３つ以上の第２ネジ穴６ｂ，６ｂ，…が貫通孔６ａを取り囲むような位置に配置されているとしてもよい。
【００７１】
例えば、図４に二点鎖線で追加して示すように、貫通孔６ａの左右に１つずつの第２ネジ穴６ｂ，６ｂを加えて、合計４つの第２ネジ穴６ｂ，６ｂ，…が設けられていてもよい。そして、格納部材７の固定部９の、第２ネジ穴６ｂ，６ｂ，…と対応する位置に、４つの孔部９ｂ，９ｂ，…が設けられることで、１つのフック部材４をいずれかの孔部９ｂに挿通させ且つ３つの補助固定ネジ１１，１１，１１を残りの孔部９ｂ，９ｂ，９ｂに挿通させ、これらを第２ネジ穴６ｂ，６ｂ，…に螺合締結させることができる。これによって、格納部材７をベース部材６に対して安定して取付固定することができる。
【００７２】
また、ベース部材６の４つの第２ネジ穴６ｂ，６ｂ，…は貫通孔６ａを取り囲むような位置に配置されている。そして、格納部材７の中心孔９ａ及び４つの孔部９ｂ，９ｂ，…も、ベース部材６の貫通孔６ａ及び第２ネジ穴６ｂ，６ｂ，…とそれぞれ対応する位置に配置される。このため、格納部材７は、フック部材４及び補助固定ネジ１１，１１，１１が、固定ネジ部材８を取り囲む位置に挿通され、ベース部材６に取付固定されることとなる。従って、物品及び格納部材７の重量による荷重は、固定ネジ部材８、フック部材４及び補助固定ネジ１１，１１，１１にかかり、このうち、固定ネジ部材８が、これらの荷重の重心に近くなる。この結果、格納部材７の重心に近い部分が、固定ネジ部材８によって壁面Ｗに固定されることとなり、格納部材７を安定させて壁面Ｗに取付固定することができる。
【００７３】
また、格納装置１によって格納できる物品は、上記各実施形態で例示した物品以外にも、スノーボード、スキー板、スケートボードなどの、板状部分を含む種々の物品や、釣竿、竹刀、薙刀、ラクロスのスティック、ホッケーのスティック、テニスラケット、野球のバットなどの、棒状部分を含む種々の物品であってもよく、板状部分又は板状部分の少なくとも一方を含む物品であれば必要に応じて格納することができる。
【００７４】
また、格納部材７の格納部１０は、上記各実施形態で示したものに限られない。例えば、一対の載置部１０ｃ，１０ｃが互いに近づくことで、上下方向に延びる棒状部分を挟むようにしてもよい。より具体的には、例えば、一対の載置部１０ｃ，１０が、垂直にしたギターのネック（棒状部分）を挟んで上端部のヘッド等にて引っ掛けた状態で載置するように構成してもよい。これによって、ギターを格納することができる。
【産業上の利用可能性】
【００７５】
本発明は、格納装置及びその取付構造として利便性が高く、極めて有用であり、産業上の利用可能性が高い。
【符号の説明】
【００７６】
Ｗ            壁面
１            格納装置
２            自転車（物品）
３            インサート部材
３ａ          第１ネジ穴
４            フック部材（雄ネジ部材）
４ａ          雄ネジ部
４ｂ          フック部
５            取付穴
６            ベース部材
６ａ          貫通孔
６ｂ          第２ネジ穴
Ｎ            鬼目ナット
７            格納部材
８            固定ネジ部材
９            固定部
９ａ          中心孔
９ｂ          孔部
１０          格納部
１０ｃ        載置部
１１          補助固定ネジ
１４          サーフボード（物品）
１６          格納部
１６ｃ        載置部
【図１】
2020018743.tif 000003
【図２】
2020018743.tif 000004
【図３】
2020018743.tif 000005
【図４】
2020018743.tif 000006
【図５】
2020018743.tif 000007
【図６】
2020018743.tif 000008
【図７】
2020018743.tif 000009
【手続補正書】
【提出日】令和1年6月24日(2019.6.24)
【手続補正１】
【補正対象書類名】明細書
【補正対象項目名】全文
【補正方法】変更
【補正の内容】
【発明の詳細な説明】
【技術分野】
【０００１】
本発明は、建物の壁面に、物品を載置して保持するための保持装置と、それを壁面に取り付けた取付構造に関する。
【背景技術】
【０００２】
従来より、建物の壁面に物品を保持して壁面を利用する技術として、特許文献１に示されているものが知られている。特許文献１の壁掛けタイプのマガジンラックでは、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにしている。
【０００３】
特許文献１のマガジンラックは、設置するためにネジ等で壁面に穴をあけることとなる。そのため、上記のマガジンラックが一旦取り付けられると、それらを取り外した後にも壁に穴があいたままとなり、取り外した後に建物の美観が損なわれてしまう。それを避けるには、壁面にあいた穴を元通りに埋める修復工事が必要となる。
【０００４】
そこで、本発明の出願人は、特許文献２において、建物の美観を保ちつつ、その建物の一部である壁などに、物品を吊り下げたり引っ掛けて保持できるようにするために、建物の施工時に壁などに挿入しておくことができるインサート部材と、物品を吊り下げるためのフック部材とを分離できるハンガーフックを提案している。
【先行技術文献】
【特許文献】
【０００５】
【特許文献１】特開平１１−１５５６５８号公報
【特許文献２】特願２０１７−２５４５０８号明細書及び図面
【発明の概要】
【発明が解決しようとする課題】
【０００６】
ところで、比較的大きい物品を壁面に保持する保持部材では、壁面への取付部分にかかる荷重のバランスを保つために複数箇所を固定するのが好ましい。
【０００７】
しかし、特許文献２の発明のように、物品の保持部材を壁面に取付固定するためのインサート部材が予め壁面に挿入されている場合、建物の美観を保つことができる反面、インサート部材が予め挿入された位置でしか物品の保持部材を取付固定することができない。このため、比較的大きい物品を複数箇所で固定する保持部材については、インサート部材が挿入された位置のみで１箇所しか固定できず、安定性を確保するのに難があり、改良の余地がある。
【０００８】
本発明は、斯かる点に鑑みてなされたものであり、その目的は、保持装置に改良を加え、建物の美観を保ちつつ、物品を保持する保持部材を安定して壁面に取り付けられるようにすることである。
【課題を解決するための手段】
【０００９】
上記の目的を達成するために、この発明では、物品を保持するための保持部材をベース部材に固定し、このベース部材を壁面に取付固定するようにした。
【００１０】
具体的に、第１の発明は、建物内の壁面に埋め込まれ且つ第１ネジ穴を有するインサート部材と、先端部に前記インサート部材の第１ネジ穴に螺合可能な雄ネジ部が、また基端側にフック部がそれぞれ設けられた雄ネジ部材とを備え、通常状態では前記雄ネジ部と前記第１ネジ穴との螺合締結によって前記雄ネジ部材が前記インサート部材に一体的に取り付けられてフック部材となる取付具を用い、前記インサート部材から螺合締結の解除により取り外された状態の前記雄ネジ部材と、該雄ネジ部材とは異なり、かつ雄ネジ部材と同じネジ径を有していて前記インサート部材の第１ネジ穴に螺合締結可能な固定ネジ部材とにより、前記壁面に取り付けられて物品を前記壁面に保持するための保持装置であって、前記壁面に取付固定されるベース部材と、該ベース部材に取付固定される保持部材とを備えている。前記ベース部材は、前記固定ネジ部材が挿通されて前記インサート部材の前記第１ネジ穴に螺合されることで、前記壁面に取付固定され、前記ベース部材には、前記固定ネジ部材の挿通位置とは異なる位置に、前記雄ネジ部材が螺合可能で前記第１ネジ穴と同じネジ穴径を有する少なくとも１つの第２ネジ穴が設けられている。前記保持部材は、前記ベース部材に挿通されて前記インサート部材の前記第１ネジ穴に螺合される前記固定ネジ部材が挿通されかつ前記雄ネジ部材が挿通されて前記ベース部材の前記第２ネジ穴に螺合締結されることで、前記ベース部材に取付固定される固定部、及び該固定部に連結されて前記物品を保持する保持部、を有する保持部材、を備えたことを特徴とする。
【００１１】
この第１の発明では、建物内の壁面に埋め込まれたインサート部材と、先端部にインサート部材に螺合締結可能な雄ネジ部が、また基端側にフック部がそれぞれ設けられた雄ネジ部材とを備えた取付具が用いられ、取付具は、通常状態では雄ネジ部材がインサート部材に一体的に取り付けられてフック部材となっている。そして、物品を保持する保持部材は、インサート部材から螺合締結の解除により取り外された状態の雄ネジ部材と、雄ネジ部材とは異なり、かつ雄ネジ部材と同じネジ径を有していてインサート部材の第１ネジ穴に螺合締結可能な固定ネジ部材とにより前記壁面に取り付けられる。この保持部材は、壁面に取付固定されるベース部材と、そのベース部材に取付固定される保持部材とを備え、ベース部材には、インサート部材の第１ネジ穴に螺合される固定ネジ部材が挿通され、保持部材にベース部材の第２ネジ穴に螺合締結される雄ネジ部材が挿通されるので、この保持部材をベース部材に対して固定ネジ部材及び雄ネジ部材の複数の位置で固定することができる。また、ベース部材は固定ネジ部材に挿通されて壁面に取付固定される。従って、保持部材を安定させて壁面に取付固定することができる。
【００１２】
また、ベース部材は、壁面に埋め込まれたインサート部材に固定ネジ部材によって固定されているので、保持部材を壁面に取り付けるために、壁面に別途穴をあける必要がなく、建物の美観を保つことができる。
【００１３】
さらに、保持部材は、取付具の雄ネジ部材を用いてベース部材に取付固定される。このため、雄ネジ部材は、保持装置を壁面に取付固定しないときには、インサート部材の第１ネジ穴に螺合締結させて壁面に取付固定しておくことができるので、紛失する虞がない。
【００１４】
また、雄ネジ部材は、基端側にフック部が設けられたフック部材であるため、フック部材は、保持装置を壁面に取付固定しないときには、壁面のインサート部材に螺合締結させておくことで紛失しないだけでなく、壁面に物を吊り下げ又は引っ掛けるための壁面用フックとして利用できる。また、フック部材を壁面に取り付けておくことは、壁面の外観を違和感がないものとし、建物の美観の上でも好ましい。
【００１５】
第２の発明は、第１の発明において、前記ベース部材は、前記固定ネジ部材が挿通可能な貫通孔が設けられた板状体からなり、前記保持部材の前記固定部に中心孔が設けられ、前記固定ネジ部材は、前記ベース部材の貫通孔及び前記固定部の中心孔に挿通されて前記インサート部材の第１ネジ穴に螺合締結されていることを特徴とする。
【００１６】
この第２の発明では、固定ネジ部材がベース部材の貫通孔と保持部材の固定部の中心孔とに挿通されてインサート部材の第１ネジ穴に螺合締結されるので、ベース部材及び保持部材は一体となって壁面に取付固定される。すなわち、共通した固定ネジ部材を用いるので、少ない部品で効率よくベース部材及び保持部材を壁面に取付固定することができる。
【００１７】
また、ベース部材は板状体であるから、板状体の厚さの分だけ保持部材は壁面から離れて取付固定される。このため、保持部材に保持される物品が壁面に当たって、壁面を傷つける虞が少なくなる。従って、建物の美観を保つことができる。
【００１８】
第３の発明は、第２の発明において、前記ベース部材における前記第２ネジ穴の数は複数であり、前記保持部材の前記固定部に複数の孔部が前記複数の第２ネジ穴に対応して設けられ、前記雄ネジ部材は、前記固定部の１つの孔部に挿通されて前記保持部材の１つの第２ネジ穴に螺合締結されている一方、前記雄ネジ部材と同じネジ径を有する補助固定ネジが、前記固定部の残りの孔部に挿通されて前記保持部材の残りの第２ネジ穴に螺合締結されており、前記保持部材は、前記固定部に、前記雄ネジ部材及び補助固定ネジが複数の前記第２ネジ穴に螺合締結されることで、前記ベース部材に取付固定されていることを特徴とする。
【００１９】
この第３の発明では、保持部材は固定ネジ部材と、雄ネジ部材と、補助固定ネジとによってベース部材に固定されるので、保持部材を安定させて壁面に取付固定することができる。
【００２０】
第４の発明は、第３の発明において、前記ベース部材の前記第２ネジ穴は２つであり、その２つの第２ネジ穴が前記ベース部材の前記貫通孔を間に挟んで前記貫通孔と直線上に並んだ位置に配置されていることを特徴とする。
【００２１】
この第４の発明では、ベース部材の２つの第２ネジ穴は貫通孔を間に挟んで直線上に並んだ位置に配置されているので、保持部材の中心孔及び２つの孔部も、ベース部材の貫通孔及び第２ネジ穴とそれぞれ対応する位置に配置される。このため、保持部材は、雄ネジ部材及び補助固定ネジが、固定ネジ部材を挟んだ両側の位置に挿通され、ベース部材に取付固定されることとなる。従って、物品及び物品を保持した保持部材の重量による荷重は、固定ネジ部材、雄ネジ部材及び補助固定ネジにかかり、このうち、固定ネジ部材が、その荷重の重心に近くなる。この結果、保持部材の重心に近い部分が、固定ネジ部材によって壁面に固定されることとなり、保持部材を安定させて壁面に取付固定することができる。
【００２２】
第５の発明は、第３の発明において、前記ベース部材の前記第２ネジ穴は３つ以上であり、その３つ以上の第２ネジ穴が前記ベース部材の前記貫通孔を取り囲むような位置に配置されていることを特徴とする。
【００２３】
この第５の発明では、ベース部材の３つ以上の第２ネジ穴は貫通孔を取り囲むような位置に配置されているので、保持部材の中心孔及び３つ以上の孔部も、ベース部材の貫通孔及び第２ネジ穴とそれぞれ対応する位置に配置される。このため、保持部材は、雄ネジ部材及び補助固定ネジが、固定ネジ部材を取り囲む位置に挿通され、ベース部材に取付固定されることとなる。従って、物品及び物品を保持した保持部材の重量による荷重は、固定ネジ部材、雄ネジ部材及び補助固定ネジにかかり、このうち、固定ネジ部材が、これらの荷重の重心に近くなる。この結果、第４の発明と同様に、保持部材の重心に近い部分が、固定ネジ部材によって壁面に固定されることとなり、保持部材を安定させて壁面に取付固定することができる。
【００２４】
第６の発明は、第２〜第５のいずれか１つの発明において、前記ベース部材は、中心に前記貫通孔が設けられている円板状であることを特徴とする。
【００２５】
この第６の発明では、貫通孔は、円板状のベース部材の中心に形成されていることから、ベース部材は、貫通孔を中心に回転させても見た目の形状は変わらない。このため、固定ネジ部材が貫通孔に挿通されてベース部材が壁面に取付固定された状態で、ベース部材が固定ネジ部材を中心に回転したとしても、壁面の外観の違和感が少ない。すなわち、建物の美観を保つことができる。
【００２６】
第７の発明は、第１〜第６のいずれか１つの発明において、ベース部材の厚さは２０ｍｍ以上であることを特徴とする。
【００２７】
この第７の発明では、円板の厚さである２０ｍｍ以上の距離、保持部材は壁面から離れて取付固定される。このため、物品が壁面に当たって、壁面を傷つける虞が少なくなる。従って、建物の美観を保つことができる。
【００２８】
第８の発明は、第１〜第７のいずれか１つの発明において、前記保持部は、固定部側から分岐されて互いに離れた位置で前記物品を載置する複数の載置部を有することを特徴とする。
【００２９】
この第８の発明では、保持部は物品を載置する載置部を有するので、物品を載置部に載置するという簡単な操作で保持することができる。また、載置部は複数であり、互いに離れた位置に位置していることから、比較的大きい物品であっても保持しやすい。
【００３０】
第９の発明は、第１〜第８のいずれか１つの発明において、前記保持部は、重量が２０ｋｇ以下の物品を保持可能であることを特徴とする。
【００３１】
この第９の発明では、最大２０ｋｇの重い物品も壁面に保持することができる。
【００３２】
第１０の発明は、第１〜第９のいずれか１つの発明において、前記保持部は、棒状部分又は板状部分の少なくとも一方を含む物品の前記棒状部分又は板状部分を保持可能であることを特徴とする。
【００３３】
この第１０の発明では、棒状部分又は板状部分の少なくとも一方を含む、比較的大きくて重い物品を保持できる。
【００３４】
第１１の発明は、第１〜第１０のいずれか１つの発明の保持装置が、前記壁面に取り付けられたことを特徴とする。
【００３５】
この第１１の発明では、第１〜第１０のいずれかの発明の作用効果を奏する保持装置を壁面に取付固定することができる。
【発明の効果】
【００３６】
本発明によると、保持部材をベース部材に対して固定ネジ部材及び雄ネジ部材の複数の位置で固定することができる。従って、保持部材を安定させて壁面に取付固定することができる。また、ベース部材は、壁面に埋め込まれたインサート部材に固定ネジ部材によって固定されているので、保持部材を壁面に取り付けるために、壁面に別途穴をあける必要がなく、建物の美観を保つことができる。
【図面の簡単な説明】
【００３７】
【図１】図１は、本発明の実施形態１に係る保持装置に物品として自転車を載置して保持した状態を示す斜視図である。
【図２】図２は、実施形態１に係る保持装置の取付構造の垂直断面図である。
【図３】図３は、実施形態１に係る保持装置の分解図である。
【図４】図４は、実施形態１に係る保持装置のベース部材を示す正面図である。
【図５】図５は、実施形態２に係る保持装置に物品としてサーフボードを載置して保持した状態を示す図１相当図である。
【図６】図６は、実施形態２に係る保持装置を示す図２相当図である。
【図７】図７は、実施形態２に係る保持装置のベース部材を示す図４相当図である。
【発明を実施するための形態】
【００３８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３９】
（実施形態１）
図１〜図３は、本発明の実施形態１に係る保持装置１の取付構造を示す。この取付構造では、フレーム（棒状部分）を含む自転車２（物品）を建物内の壁面Ｗに対して載置支持して、壁面Ｗから所定の距離離して保持する保持装置１が取付具Ｈによって壁面Ｗに取り付けられている。
【００４０】
−取付具−
取付具Ｈは、建物内の壁面Ｗに埋め込まれているインサート部材３と、通常状態でこのインサート部材３に螺合締結されるフック部材（雄ネジ部材）４とを備えており、両部材３，４は共に鋼製である。インサート部材３は、壁面Ｗに穿設された取付穴５に螺合して取付固定されている。インサート部材３は、その基端面を壁面Ｗに露出させており、この基端面には第１ネジ穴３ａが設けられている。
【００４１】
フック部材４は、先端側がインサート部材３の第１ネジ穴３ａに螺合締結される雄ネジ部４ａとなっている。また、フック部材４は、基端側がフック部４ｂとなっている。このため、フック部材４を壁面Ｗに取付固定されたインサート部材３の第１ネジ穴３ａに螺合締結させることにより、フック部４ｂに物を引っ掛けたり、吊したりして、使用することができるようになっている。
【００４２】
取付穴５は、壁面Ｗにおいて、内部に柱などの頑丈な部材が配置されている位置に穿設されており、インサート部材３は、その柱などの頑丈な部材にまで到達するように挿入される。インサート部材３は、例えば、４５５ｍｍ間隔で配置された複数の柱にそれぞれ到達するように取付固定されている。このようにして、インサート部材３は、頑丈な柱などによって強固に支持された状態で壁面Ｗに取付固定される。
【００４３】
−保持装置−
保持装置１を壁面Ｗに取り付ける場合には、フック部材４は、インサート部材３から取り外して、保持装置１を壁面Ｗに取り付けるために用いる。
【００４４】
図２及び図３に示すように、保持装置１は、壁面Ｗに取付固定される木製で円板状のベース部材６と、このベース部材６に取付固定される金属製の保持部材７と、を備えている。図４はベース部材６を示す。ベース部材６の厚さは２０ｍｍ以上であり、例えば３０ｍｍである。
【００４５】
ベース部材６には、円板の中心にベース部材６の表裏面を貫通する貫通孔６ａが設けられている。図２及び図３において、８はインサート部材３の第１ネジ穴３ａに螺合締結可能な固定ネジ部材であり、この固定ネジ部材８のネジ長さはフック部材４の雄ネジ部４ａよりも長く、ベース部材６に後述の固定部９を加えた厚さよりも長くなっている。ベース部材６は、この固定ネジ部材８を貫通孔６ａに挿通させ、固定ネジ部材８がインサート部材３の第１ネジ穴３ａに螺合されることで、壁面Ｗに取付固定されている。
【００４６】
また、図３に示すように、ベース部材６の表面には、貫通孔６ａの上下の位置に第２ネジ穴６ｂ，６ｂが設けられている。具体的には、ベース部材６が木製であるので、その表面において貫通孔６ａの上下位置に穴を開けて鬼目ナットＮ，Ｎを打ち込むことで、その鬼目ナットＮ内の穴部により第２ネジ穴６ｂを構成している。なお、下側の第２ネジ穴６ｂから貫通孔６ａまでの距離は、上側の第２ネジ穴６ｂから貫通孔６ａまでの距離よりも長い。この第２ネジ穴６ｂ，６ｂは貫通孔６ａを間に挟んで貫通孔６ａと直線状に並んだ位置に配置されている。この第２ネジ穴６ｂ，６ｂは、後述するように、いずれか一方に取付具Ｈのフック部材４の雄ネジ部４ａを螺合させることができるようになっている。
【００４７】
保持部材７は、ベース部材６に取付固定される板状の固定部９と、この固定部９に溶接されて一体的に連結された、自転車２を載置するための保持部１０と、を有する。固定部９には、ベース部材６の貫通孔６ａと対応する位置に中心孔９ａが、またベース部材６の第２ネジ穴６ｂ，６ｂと対応する位置に孔部９ｂ，９ｂがそれぞれ貫通して設けられている。なお、中心孔９ａの位置は、固定部９の略中央である。
【００４８】
保持部１０は、固定部９に溶接された接続部１０ａ，１０ａと、この接続部１０ａ，１０ａから二股状に左右に分かれて略水平方向に延びたアーム１０ｂ，１０ｂと、これらアーム１０ｂ，１０ｂの先端に設けられ、互いに離れた位置で自転車２を載置する載置部１０ｃ，１０ｃとを有している。載置部１０ｃ，１０ｃは、自転車２のフレームなどの棒状部分を載置するように鈎状に形成されている。アーム１０ｂ，１０ｂは、先端側が互いに離れる方向に延びており、載置部１０ｃ，１０ｃは互いに離れた位置に位置する。
【００４９】
そして、図３に示すように、保持部材７の固定部９の中心孔９ａに固定ネジ部材８が挿通されて、その固定ネジ部材８はインサート部材３の第１ネジ穴３ａに螺合されている。また、取付具Ｈのフック部材４が下側の孔部９ｂに挿通されて、ベース部材６の第２ネジ穴６ｂに螺合締結されている。このことにより、保持部材７が壁面Ｗに取付固定されている。前述のように、この固定ネジ部材８は、ベース部材６の貫通孔６ａにも挿通されていることから、保持部材７は、固定ネジ部材８によってベース部材６と一体となって壁面Ｗに取付固定されている。
【００５０】
さらに、保持部材７の固定部９の上側の孔部９ｂに、補助固定ネジ１１が挿通され、この補助固定ネジ１１がベース部材６の上側の第２ネジ穴６ｂに螺合締結されており、このことで、保持部材７がベース部材６に固定されている。以上のように、保持部材７は、固定ネジ部材８、フック部材４、及び補助固定ネジ１１の３つの部材によって３箇所でベース部材６に固定されている。
【００５１】
尚、保持装置１によって壁面Ｗに載置支持される自転車２（物品）の重量は２０ｋｇ以下が望ましい。
【００５２】
以上のように、この実施形態においては、自転車２を保持する保持部材７は、ベース部材６に挿通されてインサート部材３の第１ネジ穴３ａに螺合される固定ネジ部材８と、ベース部材６の第２ネジ穴６ｂに螺合締結されるフック部材４とが挿通される。従って、この保持部材７をベース部材６に対して固定ネジ部材８及びフック部材４の複数の位置で固定することができる。また、ベース部材６は固定ネジ部材８に挿通されて壁面Ｗに取付固定される。この結果、保持部材７を安定させて壁面Ｗに取付固定することができる。
【００５３】
また、ベース部材６は、壁面Ｗに埋め込まれたインサート部材３に固定ネジ部材８によって固定されているので、保持部材７を壁面Ｗに取り付けるために、壁面Ｗに別途穴をあける必要がなく、建物の美観を保つことができる。
【００５４】
また、固定ネジ部材８がベース部材６の貫通孔６ａと保持部材７の固定部９の中心孔９ａとに挿通されてインサート部材３の第１ネジ穴３ａに螺合締結されるので、ベース部材６及び保持部材７は一体となって壁面Ｗに取付固定される。すなわち、共通した固定ネジ部材８を用いるので、少ない部品で効率よくベース部材６及び保持部材７を壁面Ｗに取付固定することができる。
【００５５】
また、ベース部材６の形状は円板であるから、円板の厚さの分だけ保持部材７は壁面Ｗから離れて取付固定される。このため、自転車２が壁面Ｗに当たって、壁面Ｗを傷つける虞が少なくなる。従って、建物の美観を保つことができる。
【００５６】
また、保持部材７は、取付具Ｈのフック部材４を用いてベース部材６に取付固定される。フック部材４は、保持装置１を壁面Ｗに取付固定しない通常状態のときには、インサート部材３の第１ネジ穴３ａに螺合締結させて壁面Ｗに取付固定しておくことができるので、紛失する虞がない。
【００５７】
また、保持部材７は固定ネジ部材８と、フック部材４と、補助固定ネジ１１とによってベース部材６に固定されるので、保持部材７を安定させて壁面Ｗに取付固定することができる。
【００５８】
また、ベース部材６の２つの第２ネジ穴６ｂ，６ｂは貫通孔６ａを間に挟んで直線状に並んだ位置に配置されている。そして、保持部材７の固定部９の中心孔９ａ及び孔部９ｂ，９ｂは、ベース部材６の貫通孔６ａ及び第２ネジ穴６ｂ，６ｂとそれぞれ対応する位置に配置されている。このため、保持部材７は、フック部材４及び補助固定ネジ１１が、固定ネジ部材８を挟んだ両側の位置に挿通され、ベース部材６に取付固定されることとなる。従って、自転車２及び保持部材７の重量による荷重は、固定ネジ部材８、フック部材４及び補助固定ネジ１１にかかり、このうち、固定ネジ部材８が、これらの荷重の重心に近くなる。その結果、保持部材７の重心に近い部分が、固定ネジ部材８によって壁面Ｗに固定されることとなり、保持部材７を安定させて壁面Ｗに取付固定することができる。
【００５９】
また、インサート部材３の第１ネジ穴３ａに螺合され、保持部材７をベース部材６に取付固定するためにも用いられる取付具Ｈの雄ネジ部材として、基端側にフック部４ｂが設けられたフック部材４を用いる。このため、フック部材４は、保持部材１を壁面Ｗに取付固定しないときには、壁面Ｗのインサート部材３に螺合締結させておくことで紛失しないだけでなく、壁面Ｗに物を吊り下げ又は引っ掛けるための壁面用フックとして利用できる。また、フック部材４を壁面Ｗに取り付けておくことは、壁面Ｗの外観を違和感がないものとし、建物の美観の上でも好ましい。
【００６０】
また、ベース部材６の貫通孔６ａは、円板状のベース部材６の中心に形成されていることから、ベース部材６は、貫通孔６ａを中心に回転させても見た目の形状は変わらない。このため、固定ネジ部材８が貫通孔６ａに挿通されてベース部材６が壁面Ｗに取付固定された状態で、ベース部材Ｗが固定ネジ部材８を中心に回転したとしても、壁面Ｗの外観の違和感が少ない。すなわち、建物の美観を保つことができる。
【００６１】
また、ベース部材６の厚さは２０ｍｍ以上であることから、保持部材７は壁面Ｗから離れて取付固定される。このため、自転車２が壁面Ｗに当たって、壁面Ｗを傷つける虞が少なくなる。従って、建物の美観を保つことができる。
【００６２】
また、保持部材７の保持部１０は自転車２を載置する２つの載置部１０ｃ，１０ｃを有し、この載置部１０ｃ，１０ｃは、自転車２のフレームなどの棒状部分を支持できるように鈎状に形成されていることから、自転車２を載置部１０ｃ，１０ｃに簡単に載置することができる。
【００６３】
また、２つの載置部１０ｃ，１０ｃは互いに離れた位置に位置していることから、自転車２のような比較的大きい物品であっても載置しやすい。また、最大２０ｋｇの重い自転車も保持できる。
【００６４】
また、この実施形態に係る保持装置１の取付構造によって、上記の作用効果を奏する保持装置１を壁面Ｗに取付固定することができる。
【００６５】
（実施形態２）
図５及び図６は、実施形態２に係る保持装置１の取付構造を示す。この取付構造では、棒状部分を含む物品に加え、サーフボード１４などの長い板状の物品をも建物内の壁面Ｗに対して支持して、壁面Ｗに近づけて保持する保持装置１が、取付具Ｈによって壁面Ｗに取り付けられている。このため、保持部材７及び保持部材７をベース部材６に取付固定する構造が、実施形態１とは異なっている。以下、実施形態１と共通する構成については説明を省略する。
【００６６】
図７に示すように、ベース部材６に設けられた第２ネジ穴６ｂ，６ｂの位置は、貫通孔６ａの上下に貫通孔６ａから等間隔の位置とされている。
【００６７】
保持部材７は、ベース部材６に取付固定される板状の固定部９と、この固定部９に連結される保持部１６とを備えている。固定部９には、固定部９に対して垂直に配置された２枚の板状のブラケット１５，１５が連結されている。このブラケット１５，１５には左右水平に延びる軸部１７を介して保持部１６が揺動可能に支持されている。保持部１６は、この軸部１７の中央から略下方にむかって延び左右方向を幅とする細長い板状の連結部１６ａを有し、この連結部１６ａの下端部に左右２つの載置部１６ｃ，１６ｃが、上端部にてブラケット１５と平行なピン１６ｂによって下部を左右方向に接離するように揺動可能に重なって連結されている。載置部１６ｃ，１６ｃは、サーフボード１４などの板状の物品を載置できるように上下に長い鈎状に形成されている。なお、保持部材７は金属製であるが、載置部１６ｃ，１６ｃは、載置されるサーフボード１４を傷つけないように軟らかいゴムなどで覆われている。
【００６８】
以上のように、この実施形態では、保持部１６の載置部１６ｃ，１６ｃは上下に長い鈎状に形成されているので、棒状部分を含む物品に加え、サーフボード１４などの板状の物品をも載置することができる。
【００６９】
（その他の実施形態）
上記各実施形態において、ベース部材６には第２ネジ穴が２つ配置されているとしたが、３つ以上の第２ネジ穴６ｂ，６ｂ，…が貫通孔６ａを取り囲むような位置に配置されているとしてもよい。
【００７０】
例えば、図４に二点鎖線で追加して示すように、貫通孔６ａの左右に１つずつの第２ネジ穴６ｂ，６ｂを加えて、合計４つの第２ネジ穴６ｂ，６ｂ，…が設けられていてもよい。そして、保持部材７の固定部９の、第２ネジ穴６ｂ，６ｂ，…と対応する位置に、４つの孔部９ｂ，９ｂ，…が設けられることで、取付具Ｈを構成する１つのフック部材４をいずれかの孔部９ｂに挿通させ且つ３つの補助固定ネジ１１，１１，１１を残りの孔部９ｂ，９ｂ，９ｂに挿通させ、これらを第２ネジ穴６ｂ，６ｂ，…に螺合締結させることができる。これによって、保持部材７をベース部材６に対して安定して取付固定することができる。
【００７１】
また、ベース部材６の４つの第２ネジ穴６ｂ，６ｂ，…は貫通孔６ａを取り囲むような位置に配置されている。そして、保持部材７の中心孔９ａ及び４つの孔部９ｂ，９ｂ，…も、ベース部材６の貫通孔６ａ及び第２ネジ穴６ｂ，６ｂ，…とそれぞれ対応する位置に配置される。このため、保持部材７は、フック部材４及び補助固定ネジ１１，１１，１１が、固定ネジ部材８を取り囲む位置に挿通され、ベース部材６に取付固定されることとなる。従って、物品及び保持部材７の重量による荷重は、固定ネジ部材８、フック部材４及び補助固定ネジ１１，１１，１１にかかり、このうち、固定ネジ部材８が、これらの荷重の重心に近くなる。この結果、保持部材７の重心に近い部分が、固定ネジ部材８によって壁面Ｗに固定されることとなり、保持部材７を安定させて壁面Ｗに取付固定することができる。
【００７２】
また、保持装置１によって保持できる物品は、上記各実施形態で例示した物品以外にも、スノーボード、スキー板、スケートボードなどの、板状部分を含む種々の物品や、釣竿、竹刀、薙刀、ラクロスのスティック、ホッケーのスティック、テニスラケット、野球のバットなどの、棒状部分を含む種々の物品であってもよく、板状部分又は板状部分の少なくとも一方を含む物品であれば必要に応じて保持することができる。
【００７３】
また、保持部材７の保持部１０は、上記各実施形態で示したものに限られない。例えば、一対の載置部１０ｃ，１０ｃが互いに近づくことで、上下方向に延びる棒状部分を挟むようにしてもよい。より具体的には、例えば、一対の載置部１０ｃ，１０が、垂直にしたギターのネック（棒状部分）を挟んで上端部のヘッド等にて引っ掛けた状態で載置するように構成してもよい。これによって、ギターを保持することができる。
【産業上の利用可能性】
【００７４】
本発明は、保持装置及びその取付構造として利便性が高く、極めて有用であり、産業上の利用可能性が高い。
【符号の説明】
【００７５】
Ｗ 壁面
１ 保持装置
２ 自転車（物品）
Ｈ 取付具
３ インサート部材
３ａ 第１ネジ穴
４ フック部材（雄ネジ部材）
４ａ 雄ネジ部
４ｂ フック部
５ 取付穴
６ ベース部材
６ａ 貫通孔
６ｂ 第２ネジ穴
Ｎ 鬼目ナット
７ 保持部材
８ 固定ネジ部材
９ 固定部
９ａ 中心孔
９ｂ 孔部
１０ 保持部
１０ｃ 載置部
１１ 補助固定ネジ
１４ サーフボード（物品）
１６ 保持部
１６ｃ 載置部
【手続補正２】
【補正対象書類名】特許請求の範囲
【補正対象項目名】全文
【補正方法】変更
【補正の内容】
【特許請求の範囲】
【請求項１】
建物内の壁面に埋め込まれ且つ第１ネジ穴を有するインサート部材と、先端部に前記インサート部材の第１ネジ穴に螺合可能な雄ネジ部が、また基端側にフック部がそれぞれ設けられた雄ネジ部材とを備え、通常状態では前記雄ネジ部と前記第１ネジ穴との螺合締結によって前記雄ネジ部材が前記インサート部材に一体的に取り付けられてフック部材となる取付具を用い、前記インサート部材から螺合締結の解除により取り外された状態の前記雄ネジ部材と、該雄ネジ部材とは異なり、かつ雄ネジ部材と同じネジ径を有していて前記インサート部材の第１ネジ穴に螺合締結可能な固定ネジ部材とにより前記壁面に取り付けられて物品を前記壁面に保持するための保持装置であって、
前記壁面に取付固定されるベース部材と、該ベース部材に取付固定される保持部材とを備え、
前記ベース部材は、前記固定ネジ部材が挿通されて前記インサート部材の前記第１ネジ穴に螺合されることで、前記壁面に取付固定され、
前記ベース部材には、前記固定ネジ部材の挿通位置とは異なる位置に、前記雄ネジ部材が螺合可能で前記第１ネジ穴と同じネジ穴径を有する少なくとも１つの第２ネジ穴が設けられ、
前記保持部材は、前記ベース部材に挿通されて前記インサート部材の前記第１ネジ穴に螺合される前記固定ネジ部材が挿通されかつ前記雄ネジ部材が挿通されて前記ベース部材の前記第２ネジ穴に螺合締結されることで、前記ベース部材に取付固定される固定部と、該固定部に連結され、前記物品を保持する保持部と、を有することを特徴とする保持装置。
【請求項２】
請求項１に記載した保持装置において、
前記ベース部材は、前記固定ネジ部材が挿通可能な貫通孔が設けられた板状体からなり、
前記保持部材の前記固定部に中心孔が設けられ、
前記固定ネジ部材は、前記ベース部材の貫通孔及び前記固定部の中心孔に挿通されて前記インサート部材の第１ネジ穴に螺合締結されていることを特徴とする保持装置。
【請求項３】
請求項２に記載した保持装置において、
前記ベース部材における前記第２ネジ穴の数は複数であり、
前記保持部材の前記固定部に複数の孔部が前記複数の第２ネジ穴に対応して設けられ、
前記雄ネジ部材は、前記固定部の１つの孔部に挿通されて前記保持部材の１つの第２ネジ穴に螺合締結されている一方、
前記雄ネジ部材と同じネジ径を有する補助固定ネジが、前記固定部の残りの孔部に挿通されて前記保持部材の残りの第２ネジ穴に螺合締結されており、
前記保持部材は、前記固定部に、前記雄ネジ部材及び補助固定ネジが複数の前記第２ネジ穴に螺合締結されることで、前記ベース部材に取付固定されていることを特徴とする保持装置。
【請求項４】
請求項３に記載した保持装置において、
前記ベース部材の前記第２ネジ穴は２つであり、該２つの第２ネジ穴が前記ベース部材の前記貫通孔を間に挟んで前記貫通孔と直線状に並んだ位置に配置されていることを特徴とする保持装置。
【請求項５】
請求項３に記載した保持装置において、
前記ベース部材の前記第２ネジ穴は３つ以上であり、前記３つ以上の第２ネジ穴が前記ベース部材の前記貫通孔を取り囲むような位置に配置されていることを特徴とする保持装置。
【請求項６】
請求項２〜５のいずれか１項に記載した保持装置において、
前記ベース部材は、中心に前記貫通孔が設けられている円板状であることを特徴とする保持装置。
【請求項７】
請求項１〜６のいずれか１項に記載した保持装置において、
前記ベース部材の厚さは２０ｍｍ以上であることを特徴とする保持装置。
【請求項８】
請求項１〜７のいずれか１項に記載した保持装置において、
前記保持部は、固定部側から分岐されて互いに離れた位置で前記物品を載置する複数の載置部を有することを特徴とする保持装置。
【請求項９】
請求項１〜８のいずれか１項に記載した保持装置において、
前記保持部は、重量が２０ｋｇ以下の物品を保持可能であることを特徴とする保持装置。
【請求項１０】
請求項１〜９のいずれか１項に記載した保持装置において、
前記保持部は、棒状部分又は板状部分の少なくとも一方を含む物品の前記棒状部分又は板状部分を保持可能であることを特徴とする保持装置。
【請求項１１】
請求項１〜１０のいずれか１項に記載した保持装置が、前記壁面に取り付けられたことを特徴とする保持装置の取付構造。